(57)【要約】【課題】出力される音声の速度を任意に調整することができる電子機器を提供する。【解決手段】電子機器は、第１の音声情報を取得する第１音声取得部と、第２の音声情報を取得する第２音声取得部と、第１音声取得部により取得された第１の音声情報から第１の通話速度を算出する算出部と、第２の音声における通話速度を、算出部により算出された第１の通話速度に近づけるよう制御する音声速度変更部と、音声速度変更部により通話速度が変更された第２の音声を出力する音声出力部と、を備える。【選択図】図２
2011048205.tif 000002
【特許請求の範囲】
【請求項１】
第１の音声情報を取得する第１音声取得部と、
第２の音声情報を取得する第２音声取得部と、
前記第１音声取得部により取得された前記第１の音声情報から第１の通話速度を算出する算出部と、
前記第２の音声における通話速度を、前記算出部により算出された前記第１の通話速度に近づけるよう制御する音声速度変更部と、
前記音声速度変更部により通話速度が変更された第２の音声を出力する音声出力部と、を備える電子機器。
【請求項２】
前記算出部は、音声と次の音声の間の非発声状態の時間的長さである発声間隔を算出することにより通話速度を検出する請求項１に記載の電子機器。
【請求項３】
前記音声速度変更部は、前記通話における音声と音声の間の間隔である発声間隔を変更することにより前記通話速度を変更する請求項２に記載の電子機器。
【請求項４】
前記算出部は、前記第１の音声における音声波形を検出し、前記音声波形に基づいて前記発声間隔を算出する請求項２に記載の電子機器。
【請求項５】
外部に配置される外部電子機器と双方向通信を行う通信部をさらに備え、
前記第２音声取得部は、前記通信部を介して、前記外部電子機器から出力された前記第２の音声情報を取得する請求項１又は請求項２に記載の電子機器。
【請求項６】
前記通信部は、電話の通信を行い、
前記第２音声取得部は、通話中において、前記通信部を介して、前記外部電子機器から出力された前記第２の音声情報を取得する請求項５に記載の電子機器。
【請求項７】
前記第２音声取得部への前記第２の音声情報の取得が終了したことを検知する受話終了検知部と、
前記受話終了検知部により、前記第２音声取得部への前記第２の音声情報の取得が終了したことを検知した場合、前記通信部を介して、前記音声速度変更部により通話速度が変更された前記第２の音声を前記外部電子機器に対して出力させる音声発信部と、をさらに備える請求項６に記載の電子機器。
【請求項８】
前記第２音声取得部における前記第２の音声情報の取得において、一定以上の長さの前記非発声状態の時間的長さが検出されたことを検知する受話中断検知部と、
前記受話中断検知部により、一定以上の長さの前記非発声状態の時間的長さが検出されたことを検知した場合、前記通信部を介して、前記音声速度変更部により通話速度が変更された前記第２の音声を前記外部電子機器に対して出力させる音声発信部と、をさらに備える請求項６に記載の電子機器。
【発明の詳細な説明】
【技術分野】
【０００１】
本発明は、音声を出力する電子機器に関する。
【背景技術】
【０００２】
携帯電話機等の電子機器には、音声を出力する機能を備えたものがある。また、このような携帯電話機には、入力された相手側の音声に対して所定の処理を行うことにより相手側の音声を伸長し、入力されたときの相手側の音声よりもゆっくりとした速度でスピーカ出力するものがある（非特許文献１参照）。
【先行技術文献】
【非特許文献】
【０００３】
【非特許文献１】「携帯電話のユニバーサルデザインを目指して  −音声処理技術と手ぶれ補正技術−」、富士通ジャーナル、富士通株式会社、２００７年、第３３巻、第７号（２００７年９月号（３０２号））、ｐ．１８
【発明の概要】
【発明が解決しようとする課題】
【０００４】
非特許文献１に記載された発明（文献１発明）では、相手側の音声を伸長して出力する場合の出力速度を数段階で設定可能となっているため、ユーザが数段階の出力速度のうちの最適なものを選択する必要がある。文献１発明は、ユーザが最適な出力速度を設定する場合に、相手側と話をすることを繰り返さなければならないという問題がある。さらに、文献１発明は、数段階に設定可能な出力速度のうちから１つを選択しなければならず、必ずしもユーザにとって最適な出力速度が選択されるとは限らないという問題がある。
【０００５】
本発明は、出力される音声の速度を任意に調整することができる電子機器を提供することを目的とする。
【課題を解決するための手段】
【０００６】
本発明は、第１の音声情報を取得する第１音声取得部と、第２の音声情報を取得する第２音声取得部と、前記第１音声取得部により取得された前記第１の音声情報から第１の通話速度を算出する算出部と、前記第２の音声における通話速度を、前記算出部により算出された前記第１の通話速度に近づけるよう制御する音声速度変更部と、前記音声速度変更部により通話速度が変更された第２の音声を出力する音声出力部と、を備える電子機器に関する。
【０００７】
また、前記算出部は、音声と次の音声の間の非発声状態の時間的長さである発声間隔を算出することにより通話速度を検出することが好ましい。
【０００８】
また、前記音声速度変更部は、前記通話における音声と音声の間の間隔である発声間隔を変更することにより前記通話速度を変更することが好ましい。
【０００９】
また、前記算出部は、前記第１の音声における音声波形を検出し、前記音声波形に基づいて前記発声間隔を算出することが好ましい。
【００１０】
また、前記電子機器は、外部に配置される外部電子機器と双方向通信を行う通信部をさらに備え、前記第２音声取得部は、前記通信部を介して、前記外部電子機器から出力された前記第２の音声情報を取得することが好ましい。
【００１１】
また、前記通信部は、電話の通信を行い、前記第２音声取得部は、通話中において、前記通信部を介して、前記外部電子機器から出力された前記第２の音声情報を取得することが好ましい。
【００１２】
また、前記電子機器は、前記第２音声取得部への前記第２の音声情報の取得が終了したことを検知する受話終了検知部と、前記受話終了検知部により、前記第２音声取得部への前記第２の音声情報の取得が終了したことを検知した場合、前記通信部を介して、前記音声速度変更部により通話速度が変更された前記第２の音声を前記外部電子機器に対して出力させる音声発信部と、をさらに備えることが好ましい。
【００１３】
また、前記電子機器は、前記第２音声取得部における前記第２の音声情報の取得において、一定以上の長さの前記非発声状態の時間的長さが検出されたことを検知する受話中断検知部と、前記受話中断検知部により、一定以上の長さの前記非発声状態の時間的長さが検出されたことを検知した場合、前記通信部を介して、前記音声速度変更部により通話速度が変更された前記第２の音声を前記外部電子機器に対して出力させる音声発信部と、をさらに備えることが好ましい。
【発明の効果】
【００１４】
本発明の電子機器によれば、出力される音声の速度を任意に調整することができる。
【図面の簡単な説明】
【００１５】
【図１】本発明の第１の実施形態に係る携帯電話機の外観斜視図である。
【図２】第１の実施形態に係る携帯電話機が当該機能を発揮するための構成を示す機能ブロック図である。
【図３】第１の実施形態の携帯電話機の動作を示すフローチャートである。
【図４】第１の実施形態の携帯電話機の動作を説明する図である。
【図５】第２の実施形態に係る携帯電話機が当該機能を発揮するための構成を示す機能ブロック図である。
【図６】第２の実施形態の携帯電話機の動作を示すフローチャートである。
【図７】第２の実施形態の携帯電話機の動作を説明する図である。
【発明を実施するための形態】
【００１６】
＜第１の実施形態＞
以下、本発明を実施するための好ましい実施形態について、図面を参照しながら説明する。まず、本発明の第１の実施形態に係る電子機器としての携帯電話機１の基本構造について、図１を参照しながら説明する。
図１は、本発明の第１の実施形態に係る携帯電話機１の外観斜視図である。
【００１７】
携帯電話機１は、筐体としての操作部側筐体２と、表示部側筐体３と、操作部側筐体２と表示部側筐体３とを連結するヒンジ機構４と、を備える。
操作部側筐体２は、前面１０に、操作部１１及びマイク（第１音声取得部）１２を備えて構成される。操作部側筐体２の前面１０は、携帯電話機１を折り畳んだ状態で表示部側筐体３と向かい合う面である。
操作部１１は、各種設定機能や辞書機能やメール機能等の各種機能を作動させるための機能設定操作キー１３と、数字や文字を入力するための入力操作キー１４と、各種操作における決定やスクロール等を行う決定操作キー１５と、から構成されている。
マイク１２は、携帯電話機１のユーザが通話時に発した音声を入力するために用いられる。
また、操作部側筐体２の後面（図示せず）には、撮像部４６（図２参照）が設けられている。撮像部４６は、画像情報を取得するために用いられる。
【００１８】
表示部側筐体３は、前面２０に、表示部２１とレシーバ（音声出力部）２２と、を備えて構成される。表示部側筐体３の前面２０は、携帯電話機１を折り畳んだ状態で操作部側筐体２と向かい合う面である。
表示部２１は、通話の相手側の電話番号やメールアドレス、及びメールの内容等の各種情報（文字情報や画像情報）を表示する。レシーバ２２は、通話の相手側の音声を出力する。
【００１９】
ヒンジ機構４は、操作部側筐体２と表示部側筐体３とが相対的に動くようにこれらを連結している。携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００２０】
本実施形態に係る携帯電話機１は、通話速度を所定の速度に変換して出力する機能を有する。例えば、音声を出力する場合に、その音声における各音の発声間隔を、所定の発声間隔に一致させるよう変更する機能を有する。
【００２１】
以下に、携帯電話機１に係る当該機能を発揮するための構成と動作について詳述する。
図２は、第１の実施形態に係る携帯電話機１が当該機能を発揮するための構成を示す機能ブロック図である。
【００２２】
携帯電話機１は、操作部１１と、マイク１２と、メインアンテナ４０と、ＲＦ回路４１と、表示制御部４２と、音声処理部４３と、メモリ４４と、制御部４５と、撮像部４６と、算出部５１と、音声速度変更部５２とを操作部側筐体２に備える。また、携帯電話機１は、表示部２１と、レシーバ２２と、ドライバＩＣ２３とを表示部側筐体３に備える。
【００２３】
マイク１２は、受話者（携帯電話機１のユーザ）が発した音声（第１の音声）を所定の信号に変換して、音声処理部４３及び算出部５１に出力する。
【００２４】
メインアンテナ４０は、所定の使用周波数帯（例えば、８００ＭＨｚ）で外部装置（基地局等）と通信を行う。なお、本実施の形態では、所定の使用周波数帯として、８００ＭＨｚとしたが、これ以外の周波数帯であっても良い。
【００２５】
ＲＦ回路４１は、メインアンテナ４０によって受信した信号を復調処理し、処理後の信号を制御部４５に供給する。また、ＲＦ回路４１は、制御部４５から供給された信号を変調処理し、メインアンテナ４０を介して外部装置（基地局等）に送信する。
なお、メインアンテナ４０及びＲＦ回路４１は、通信部を構成する。したがって、携帯電話機１は、メインアンテナ４０及びＲＦ回路４１により、外部に配置される外部電子機器（例えば発話者側電話端末）と双方向通信を行う。
【００２６】
表示制御部４２は、制御部４５の制御にしたがって所定の画像処理を行い、処理後の画像データをドライバＩＣ２３に出力する。ドライバＩＣ２３は、表示制御部４２から供給された画像データをフレームメモリに蓄え、所定のタイミングで表示部２１に出力する。
【００２７】
音声処理部４３は、制御部４５の制御にしたがって、ＲＦ回路４１から供給された信号に対して所定の音声処理を行い、処理後の信号を音声速度変更部５２に出力する。なお、所定の音声処理を行う音声処理部４３は、発話者（発話者側電話端末のユーザ）が発した音声（第２の音声）が入力される第２音声取得部を構成する。
【００２８】
また、音声処理部４３は、制御部４５の制御にしたがって、マイク１２から入力された信号を処理し、処理後の信号をＲＦ回路４１に出力する。ＲＦ回路４１は、音声処理部４３から供給された信号に所定の処理を行い、処理後の信号をメインアンテナ４０に出力する。
【００２９】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていても良い。
撮像部４６は、被写体を撮像し、撮像データを制御部に出力する。
【００３０】
算出部５１は、マイク１２により入力された受話者の音声である第１の音声から、音声と次の音声の間の非発声状態の時間的長さである発声間隔（第１の発声間隔）を算出することにより通話速度を検出する。具体的には、算出部５１は、音声認識部５１１と、音声解析部５１２とを備える。音声認識部５１１は、マイク１２から入力された信号に対して所定の処理を行い、音声波形を検出する。音声解析部５１２は、音声認識部５１１により検出された音声波形に基づいて第１の発声間隔を算出し、算出結果を制御部４５に出力する。
【００３１】
音声速度変更部５２は、第２の音声における通話速度を、算出部５１により算出された第１の通話速度に近づけるよう制御する。例えば、音声速度変更部５２は、発話者の音声（第２の音声）における各音の発声間隔（第２の発声間隔）を、算出部５１により算出された第１の発声間隔に一致するよう変更することにより、通話速度を変更する。なお、音声速度変更部５２には、算出部５１(音声解析部５１２)により算出された第１の発声間隔の情報を含む通話速度の情報が制御部４５から入力される。音声速度変更部５２は、発声間隔変更後の音声（信号）をレシーバ（音声出力部）２２に出力する。レシーバ２２は、音声速度変更部５２により通話速度（発声間隔）が変更された発話者の音声を出力する。
【００３２】
制御部４５は、携帯電話機１の全体を制御しており、中央処理装置(ＣＰＵ)等を用いて構成される。
【００３３】
次に、本実施形態の携帯電話機１の動作について、図３及び図４を参照しながら説明する。
図３は、第１の実施形態の携帯電話機１の動作を示すフローチャートである。図４は、第１の実施形態の携帯電話機の動作を説明する図である。
【００３４】
まず、ステップＳ１１において、受話者は、発話者（通話の相手側）との通話中において、携帯電話機１（マイク１２）に対して特定の語句（第１の音声）を発する（図４（ａ）参照）。特定の語句は、算出部５１により第１の通話速度を算出させるための語句であれば何れのものであってもよい。したがって、特定の語句は、例えば「もう少しゆっくりお願いします」という語句であってもよい。
【００３５】
ステップＳ２１において、音声認識部５１１は、ステップＳ１１の処理により携帯電話機１の内部に入力された特定の語句を検知する。この検知は、例えば次のようにして行えばよい。音声認識部５１１は、特定の語句に対応する特定のテキストデータを予め記憶しておく。そして、音声認識部５１１は、マイク１２を介して言葉が入力されると、その言葉をテキストデータに変換する。音声認識部５１１は、変換されたテキストデータと予め記憶された特定のテキストデータとを比較し、両者が一致する場合に特定の語句が入力されたと検知する。
【００３６】
ステップＳ２２において、音声認識部５１１は、特定の語句の音声波形を検出する。
【００３７】
ステップＳ２３において、音声解析部５１２は、音声認識部５１１により検出された音声波形に基づいて、特定の語句における音と音の間隔時間を算出する。具体的には、受話者が特定の語句として「もう少しゆっくりお願いします」という語句を発した場合、音声認識部５１１は、図４（ｂ）に示すように、「も」、「う」、「す」、…という各音の発声間隔（図４（ｂ）に示す矢印Ａの間隔）を算出する。
なお、音声解析部５１２は、特定の語句における各音の発声間隔が互いに異なる場合、各音の発声間隔の平均値を算出し、その算出された平均間隔時間を特定の語句における音と音の間隔時間としてもよい。
【００３８】
ステップＳ２４において、音声速度変更部５２は、音声解析部５１２により算出された第１の発声間隔が制御部４５を介して入力され、第２の発声間隔が第１の発声間隔になるように設定される。
【００３９】
ステップＳ２５において、音声速度変更部５２は、音声処理部４３により所定の音声処理が行われた発話者の音声（信号）が入力される。具体的には、発話者が受話者に対する応答として「では少しゆっくり話します」と発声した場合、音声速度変更部５２には、「では少しゆっくり話します」に対応した信号が入力される（図４（ｃ）参照）。
【００４０】
ステップＳ２６において、音声速度変更部５２は、ステップＳ２４の処理による設定に基づいて第２の発声間隔を変更することにより、受話速度を変更する。具体的には、音声速度変更部５２は、次のような処理を行う。すなわち、音声速度変更部５２は、音声処理部４３から入力された発話者の音声に基づく信号に対して所定の処理を行うことにより、音声波形を検出する。さらに、音声速度変更部５２は、検出された音声波形に基づいて第２の発声間隔を算出する。そして、音声速度変更部５２は、第２の発声間隔が第１の発声間隔に一致するように、第２の発声間隔を変更する。より具体的には、発話者が「では少しゆっくり話します」と発した場合、音声速度変更部５２は、図４（ｄ）に示すように、「で」、「は」、「す」、…という各音の発声間隔（図４（ｄ）に示す矢印Ｂの間隔）を算出する。さらに、音声速度変更部５２は、図４（ｅ）に示すように、算出された各音の発声間隔（第２の発声間隔）が第１の発声間隔（図４（ｂ）に示す矢印Ａの間隔）に一致するように、第２の発声間隔を伸長する（図４（ｅ）に示す矢印Ｃの間隔）。
【００４１】
ステップＳ２７において、レシーバ２２は、音声速度変更部５２により第２の発声間隔が変更された発話者の音声を出力する。具体的には、レシーバ２２は、発話者が「では少しゆっくり話します」と発した場合、各音の発声間隔を伸長させた音声を出力する。
【００４２】
本実施形態の携帯電話機１によれば、以下のような効果を奏する。
音声速度変更部５２は、発話者が発した語句に基づく第２の発声間隔を、受話者が発した語句に基づく第１の発声間隔に一致するよう変更する。レシーバ２２は、音声速度変更部５２により第２の発声間隔が変更された発話者の音声を出力する。これにより、受話者（携帯電話機１のユーザ）は、自身が発した声の速度に応じて、発話者が発した音声の速度を任意に調整することができる。
【００４３】
＜第２の実施形態＞
次に、第２の実施形態に係る携帯電話機１について説明する。
本実施形態に係る携帯電話機１の基本構成は、第１の実施形態に係る携帯電話機１と同じであるので、その説明を省略する。
【００４４】
本実施形態に係る携帯電話機１は、第２の発声間隔が第１の発声間隔に一致するよう変更された場合、第２の発声間隔を変更したことを発話者に対して通知する機能を有する。
【００４５】
以下に、携帯電話機１に係る当該機能を発揮するための構成と動作について詳述する。
図５は、第２の実施形態に係る携帯電話機１が当該機能を発揮するための構成を示す機能ブロック図である。
【００４６】
携帯電話機１は、第１の実施形態において図２を用いて説明した構成に加えて、受話終了検知部５３と、音声発信部５４とを操作部側筐体２にさらに備える。
【００４７】
受話終了検知部５３は、第２音声取得部への第２の音声の入力が終了したことを検知する。具体的には、受話終了検知部５３には、音声処理部４３により所定の音声処理が行われた発話者の音声（信号）が入力される。受話終了検知部５３は、音声処理部４３から入力された信号について所定の処理をすることにより、発話者の発話が終了してことを検知する。さらに、受話終了検知部５３は、発話者の発話終了を検知した場合、音声速度変更部５２により受話速度が変更された発話者の音声が音声速度変更部５２から出力され続けているか判断する。受話終了検知部５３は、発話者の音声が出力され続けていると判断した場合、判断結果を表す信号を音声発声部５４に出力する。
【００４８】
音声発信部５４は、受話終了検知部５３により、第２音声取得部への第２の音声の入力が終了したことを検知した場合、通信部を介して、音声速度変更部５２により発声間隔が変更された第２の音声を出力させる。具体的には、音声発信部５４は、受話終了検知部５３から判断結果を表す信号が入力された場合、第２の発声間隔が変更された発話者の音声を音声速度変更部５２から受け入れる。音声発信部５４は、第２の発声間隔が変更された発話者の音声を音声変換部に出力し、さらにＲＦ回路４１及びメインアンテナ４０を介して発話者側電話端末に送信させる。
【００４９】
なお、操作部１１と、マイク１２と、メインアンテナ４０と、ＲＦ回路４１と、表示制御部４２と、音声処理部４３と、メモリ４４と、制御部４５と、撮像部４６と、算出部５１と、音声速度変更部５２と、表示部２１と、レシーバ２２と、ドライバＩＣ２３とは、それぞれの構成が第１の実施形態で説明したものと同構成になっている。
【００５０】
次に、本実施形態の携帯電話機１の動作について、図６及び図７を参照しながら説明する。
図６は、第２の実施形態の携帯電話機１の動作を示すフローチャートである。図７は、第２の実施形態の携帯電話機１の動作を説明する図である。
【００５１】
まず、ステップＳ３１において、音声認識部５１１は、マイク１２を介して入力された、発話者が発した特定の語句を検知する。例えば、特定の語句は、図７（ａ）に示すように、「もう少しゆっくりお願いします」という語句である。
【００５２】
ステップＳ３２において、音声認識部５１１は、特定の語句の音声波形を検出する。
【００５３】
ステップＳ３３において、音声解析部５１２は、音声認識部５１１により検出された音声波形に基づいて、特定の語句における音と音の発声間隔（第１の発声間隔）を算出する。
【００５４】
ステップＳ３４において、音声速度変更部５２は、音声解析部５１２により算出された第１の発声間隔が制御部４５を介して入力され、第２の発声間隔が第１の発声間隔になるように設定される。
【００５５】
ステップＳ３５において、制御部４５は、ステップＳ３４の処理において設定された設定情報を、ＲＦ回路４１及びメインアンテナ４０を介して発話者側電話端末に送信する（図７（ｂ）参照）。
【００５６】
次に、ステップＳ５１において、発話者側電話端末の内部処理として、発話者側電話端末は、ステップＳ３５の処理により送信された設定情報を検知する。
【００５７】
ステップＳ５２において、発話者側電話端末は、携帯電話機１における音声発信部５４の処理に基づいて送信されてくる第２の発声間隔が変更された発話者の音声の受信待機処理を行う。
【００５８】
ステップＳ５３において、発話者は、発話を行う。例えば、発話は、図７（ｂ）に示すように、「では少しゆっくり話します」という言葉を発する。
【００５９】
次に、ステップＳ３６において、携帯電話機１の内部処理として、音声処理部４３は、発話者が発した音声を受話する。
【００６０】
ステップＳ３７において、音声速度変更部５２は、ステップＳ３４の処理による設定に基づいて第２の発声間隔を変更することにより、受話速度を変更する。
【００６１】
ステップＳ３８において、レシーバ２２は、音声速度変更部５２により第２の発声間隔が変更された発話者の音声を出力する。例えば、出力される音声は、図７（ｃ）に示すように、「では少し…」という言葉における各音の発声間隔を伸長した音声である。
【００６２】
ステップＳ３９において、受話終了検知部５３は、発話者の発話終了時に、受話者が受話継続中であるか否か判断する。受話者が受話継続中であると判断した場合（Ｙｅｓ）には、ステップ４０に進む。受話者が受話を終了していると判断した場合（Ｎｏ）には、ステップＳ４１に進む。
【００６３】
ステップＳ４０において、音声発信部５４は、レシーバ２２から出力している音声と同一の音声を発話者側電話端末に送信する。すなわち、音声発信部５４は、第２の発声間隔が変更された発話者の音声を音声速度変更部５２から受け入れる。さらに、音声発信部５４は、第２の発声間隔が変更された発話者の音声を音声変換部に出力し、ＲＦ回路４１及びメインアンテナ４０を介して発話者側電話端末に送信させる。
【００６４】
ステップＳ４１において、制御部４５は、発話者と受話者の通話が終了したか否かを判断する。通話が終了している場合（Ｙｅｓ）には、動作を終了する。通話中の場合（Ｎｏ）には、ステップＳ３６の処理に戻る。
【００６５】
一方、Ｓ５４において、発話者側電話端末は、ステップ５１の処理により検知した設定情報に基づいて、ステップＳ５３の処理が終了したときに、携帯電話機１において受話を継続しているか否かを判断する。受話継続中の場合（Ｙｅｓ）には、ステップＳ５５に進む。受話が終了している場合（Ｎｏ）には、ステップ５６に進む。
【００６６】
ステップＳ５５において、発話者側電話端末は、ステップＳ４０の処理により送信された音声を受信して、音声を出力する。例えば、出力される音声は、図７（ｄ）に示すように、「では少し…」という言葉における各音の発声間隔を伸長した音声である。
【００６７】
ステップＳ５６において、発話者側電話端末は、発話者と受話者の通話が終了したか否かを判断する。通話が終了している場合（Ｙｅｓ）には、動作を終了する。通話中の場合（Ｎｏ）には、ステップＳ５３の処理に戻る。
【００６８】
本実施形態の携帯電話機１によれば、以下のような効果を奏する。
受話終了検知部５３は、第２音声取得部への第２の音声の入力が終了したことを検知する。音声発信部５４は、受話終了検知部５３により、第２音声取得部への第２の音声の入力が終了したことを検知した場合、ＲＦ回路４１及びメインアンテナ４０を介して、音声速度変更部５２により発声間隔が変更された第２の音声を出力させる。これにより、発話者は、発話者の発話が終了した後、受話者が現在聞いている発話内容を聞くことができる。
【００６９】
＜変形例＞
なお、本発明は第１及び第２の実施形態に限定されるものではなく、本発明の目的を達成できる範囲での変形、改良等は本発明に含まれる。
【００７０】
第１及び第２の実施形態では、電子機器の一例として携帯電話機１について説明したが、本発明はこれに限定されることはない。すなわち、電子機器は、例えば、パーソナルコンピュータ、トランシーバ等であってもよい。
【００７１】
また、第１及び第２の実施形態では、通信部を介して第２音声取得部に音声が入力される場合について説明した。具体的には、各音の発声間隔が変更される音声は、通話中において、メインアンテナ４０及びＲＦ回路４１を介して音声処理部４３に入力される。しかしながら、本発明は、この場合に限定されることはない。すなわち、各音の発声間隔が変更される音声は、ウェブページから音声データをダウンロードすることにより第２音声取得部により取得されてもよく、メモリ４４に記憶された音声データが第２音声取得部により取得されてもよい。また、各音の発声間隔が変更される音声は、撮像部４６により被写体を撮像した後、撮像データについてＯＣＲ（Ｏｐｔｉｃａｌ  Ｃｈａｒａｃｔｅｒ  Ｒｅａｄｅｒ）処理を行ってテキストデータを取得し、テキストデータについて所定の処理を行って音声データに変換するという手順に経ることにより第２音声取得部に入力されてもよい。
【００７２】
また、第１及び第２の実施形態では、電子機器の一例としてヒンジ機構４を介して操作部側筐体２と表示部側筐体３とが相対的に動く、いわゆる折り畳み式の携帯電話機１を挙げているが、これに限らない。即ち、操作部側筐体と表示部側筐体とを重ね合わせた状態から一方の筐体を一方向にスライドさせるようにしたスライド式や、重ね合せ方向に沿う軸線を中心に一方の筐体を回転させるようにした回転式や、操作部側筐体と表示部側筐体とを２軸ヒンジを介して連結したもの、更には、操作部側筐体と表示部側筐体とが一つの筐体に配置されたもの（いわゆる、ストレートタイプ）であってもよい。
【００７３】
また、上述では、受話終了検知部により、第２音声取得部への第２の音声情報の取得が終了したことを検知した場合、通信部を介して、音声速度変更部により通話速度が変更された第２の音声を、音声発信部により外部電子機器に対して出力させる場合について述べたが、これに限られず、たとえば、受話終了検知部に換えて、第２音声取得部における前記第２の音声情報の取得において、一定以上の長さの前記非発声状態の時間的長さが検出されたことを検知する受話中断検知部を備え、受話中断検知部により、一定以上の長さの非発声状態の時間的長さが検出されたことを検知した場合、通信部を介して、音声速度変更部により通話速度が変更された第２の音声を、音声発信部により外部電子機器に対して出力させるようにしてもよい。
【符号の説明】
【００７４】
１  携帯電話機（電子機器）
２２  レシーバ
４０  メインアンテナ
４１  ＲＦ回路
４３  音声処理部
４５  制御部
５１  算出部
５１１  音声認識部
５１２  音声解析部
５２  音声速度変更部
５３  受話終了検知部
５４  音声発信部
【図１】
2011048205.tif 000003
【図２】
2011048205.tif 000004
【図３】
2011048205.tif 000005
【図４】
2011048205.tif 000006
【図５】
2011048205.tif 000007
【図６】
2011048205.tif 000008
【図７】
2011048205.tif 000009